(57)【要約】【課題】本発明の課題は、空気調和機の上限電力デマンド内での最大能力による運転を可能とし、デマンド制御下の快適性や追従性を向上させることにある。【解決手段】電流センサー２１を有する複数の空気調和機２０，３０のデマンド制御を行うデマンド制御装置１０であって、受信部１２と制御部１１と送信部１３とを備える。受信部１２は、空調制御用信号線１９を介して電力に関する情報を受信する。制御部１１は、電力に関する情報に基づく演算処理を行い、空気調和機の運転能力を抑制する制御信号を生成する。この演算処理では、電力に関する情報を合算して合算値を取得し、合算値に対応する電力デマンド値と予め設定された上限デマンド値とを比較演算し、電力デマンド値が上限デマンド値を越えると判断する場合に制御信号を生成する。送信部１３は、空調制御用信号線１９を介して制御信号を空気調和機に送信する。【選択図】図３
2007212038.tif 000002
【特許請求の範囲】
【請求項１】
電流センサー（２１）を有する複数の空気調和機（２０，３０）のデマンド制御を行うデマンド制御装置（１０）であって、
空調制御用信号線（１９）を介して電力に関する情報を受信する受信部（１２）と、
前記電力に関する情報に基づく演算処理を行い、前記空気調和機（２０，３０）の運転能力を抑制する制御信号を生成する制御部（１１）と、
前記空調制御用信号線（１９）を介して前記制御信号を前記空気調和機（２０，３０）に送信する送信部（１３）と、を備え、
前記制御部（１１）は、前記演算処理において、前記電力に関する情報を合算して合算値を取得し、前記合算値に対応する電力デマンド値と予め設定された上限デマンド値とを比較演算し、前記電力デマンド値が前記上限デマンド値を越えると判断する場合に前記制御信号を生成する、
デマンド制御装置。
【請求項２】
前記電力に関する情報は、電流値または電力値である、
請求項１に記載のデマンド制御装置。
【請求項３】
前記空気調和機（２０，３０）は室外機（２０）と複数の室内機（３０）とを有し、
前記電力に関する情報と前記室外機（２０）を識別するための第１識別情報との対応付けを記憶する記憶部（１５）、
をさらに備えてなる、請求項１に記載のデマンド制御装置。
【請求項４】
前記電力に関する情報と前記第１識別情報との前記対応付けを含む情報を外部に出力する出力部（１４）、
をさらに備えてなる、請求項３に記載のデマンド制御装置。
【請求項５】
前記受信部（１２）は、前記室外機（２０）の電力に関する情報と、前記室内機（３０）を識別する第２識別情報と、前記室内機（３０）に関する情報である室内機情報とを受信し、
前記制御部（１１）は、前記室内機情報に基づき前記室内機（３０）のそれぞれの電力分担比率を演算し、前記電力分担比率によって前記合算値から前記室内機（３０）毎の按分電力値を演算する、
前記記憶部（１５）は、前記按分電力値と前記第２識別情報との対応付けを記憶する、
請求項３に記載のデマンド制御装置。
【請求項６】
前記按分電力値と前記第２識別情報との前記対応付けを含む情報を外部に出力する出力部（１４）、
をさらに備えてなる、請求項５に記載のデマンド制御装置。
【請求項７】
前記制御部（１１）は、前記合算値を予め設定された前記空気調和機（２０，３０）のグループ毎に取得し、前記グループ毎に前記制御信号を生成し、
前記送信部（１３）は、前記制御信号を前記グループ毎に送信する、
請求項１に記載のデマンド制御装置。
【請求項８】
前記記憶部（１５）は、前記電力に関する情報を所定期間蓄積的に記憶し、
前記制御部（１１）は、前記電流センサーに異常が検知された場合、前記蓄積された電力に関する情報より前記電流センサーに異常がある室外機（２０）の電力値を取得し、前記演算処理を行う、
請求項３に記載のデマンド制御装置。
【請求項９】
前記電力に関する情報は、圧力センサーのセンサー値に基づいて算出された電力値である、
請求項８に記載のデマンド制御装置。
【請求項１０】
請求項１に記載のデマンド制御装置（１０）と、
複数の空気調和機（２０，３０）と、を備え、
前記空気調和機（２０，３０）は、前記デマンド制御装置（１０）より前記空調制御用信号線（１９）を介して前記制御信号を受信する複数の室外機（２０）と、各前記室外機（２０）により制御される複数の室内機（３０）とを有する、
デマンド制御システム。
【請求項１１】
電流センサー（２１）を有する複数の空気調和機（２０，３０）のデマンド制御を行うデマンド制御方法であって、
空調制御用信号線（１９）を介して電力に関する情報を受信する受信ステップと、
前記電力に関する情報を合算して合算値を取得し、前記合算値に対応する電力デマンド値と予め設定された上限デマンド値とを比較演算する演算ステップと、
前記電力デマンド値が前記上限デマンド値を越えると判断する場合に前記空気調和機（２０，３０）の運転能力を抑制する制御信号を生成する制御ステップと、
前記空調制御用信号線（１９）を介して前記制御信号を前記空気調和機（２０，３０）に送信する送信ステップと、
を備えてなる、デマンド制御方法。
【請求項１２】
電流センサーを有する複数の空気調和機（２０，３０）のデマンド制御を行うデマンド制御プログラム（１６）であって、
前記電流センサー（２１）により取得された電流値又は電力値と、予めグループに分けられた前記空気調和機（２０，３０）を識別するための識別情報と、を受信する第１ステップと、
前記識別情報に対応する前記グループを特定する第２ステップと、
前記グループ単位で前記電流値又は前記電力値を合算して合算値を演算する第３ステップと、
前記合算値に対応する電力デマンド値と予め設定された前記グループ毎の上限デマンド値とを比較演算する第４ステップと、
前記第４ステップにおいて前記電力デマンド値が前記上限デマンド値を越えると判断されたグループに対し、前記空気調和機（２０，３０）の運転能力を抑制する制御信号を生成する第５ステップと、
前記制御信号を前記グループ毎に前記空気調和機（２０，３０）に送信する第６ステップと、
をコンピュータに実行させる、デマンド制御プログラム。
【発明の詳細な説明】
【技術分野】
【０００１】
本発明は、電力デマンドの制御を行うデマンド制御装置、デマンド制御方法およびデマンド制御プログラムに関する。
【背景技術】
【０００２】
従来のデマンド制御においては、空気調和機が主な高電力デマンドの発生要因であるという観点から、空気調和機を対象としたデマンド制御が行われている。その中でも、電力メータから情報を取得して全体の電力デマンドを計算する従来の方法（例えば、特告昭５３−００３９３９号公報）に代えて、各室外機に電流センサーを設け、室外機内部に設けられた制御部が電流センサーの値を基に各室外機を自立的に抑制制御する制御方法が知られている（例えば、特許文献１および特許文献２等）。
【特許文献１】特告昭５３−００３９３９号公報
【特許文献２】特開２００２−１４７８１９号公報
【発明の開示】
【発明が解決しようとする課題】
【０００３】
しかし、上記制御方法では、室外機毎に自律的にデマンド制御を行うため、全ての空気調和機による総電力デマンドに支障がない場合（例えば、契約電力低減につながらないような時）であっても、室外機の運転の抑制制御が行われることになる。その結果、空気調和機について上限電力デマンド内の最大能力による運転ができず、空気調和機の快適性や追従性の低下につながる。
【０００４】
本発明の課題は、空気調和機について上限電力デマンド内の最大能力による運転を行い、デマンド制御下の空気調和機の快適性や追従性を向上させることにある。
【課題を解決するための手段】
【０００５】
第１発明に係るデマンド制御装置は、電流センサーを有する複数の空気調和機のデマンド制御を行うデマンド制御装置であって、受信部と、制御部と、送信部とを備える。受信部は、空調制御用信号線を介して電力に関する情報を受信する。制御部は、電力に関する情報に基づく演算処理を行い、空気調和機の運転能力を抑制する制御信号を生成する。この演算処理において、制御部は、電力に関する情報を合算して合算値を取得し、合算値に対応する電力デマンド値と予め設定された上限デマンド値とを比較演算し、電力デマンド値が上限デマンド値を越えると判断する場合に制御信号を生成する。送信部は、空調制御用信号線を介して制御信号を空気調和機に送信する。
【０００６】
ここで、空気調和機の運転能力を抑制するとは、例えば、室外機の圧縮機の運転周波数を抑制する、室内機の設定温度を緩和する、あるいは強制的にサーモＯＦＦにすること等により行う。また、制御部の演算処理における電力に関する情報の合算は、予測的に行う場合も含む。なお、合算値に対応する電力デマンド値は、合算値そのものの値である電力値、あるいは定法に従って合算値を演算して得られた電力値等から取得する。
これにより、空気調和機の電力に関する情報を収集・合算してから、空調の抑制制御の要否を判断できるため、空気調和機について上限電力デマンド内の最大能力での運転が可能となり、デマンド制御の下であっても一定の快適性および追従性を保証する空調制御を行うことが可能となる。
【０００７】
第２発明に係るデマンド制御装置は、第１発明のデマンド制御装置であって、電力に関する情報は、電流値または電力値である。これにより、より簡単に電力デマンド値を取得できる。
【０００８】
第３発明に係るデマンド制御装置は、第１発明のデマンド制御装置であって、空気調和機は室外機と複数の室内機とを有する。同デマンド制御装置はまた、電力に関する情報と室外機を識別するための第１識別情報との対応付けを記憶する記憶部を備える。
これにより、室外機毎の電流値や電力値等の情報を保持することができ、予測的なデマンド制御も可能となる。すなわち、これらの情報の規則性からデマンド予測が可能となる。
【０００９】
第４発明に係るデマンド制御装置は、第３発明のデマンド制御装置であって、電力に関する情報と第１識別情報との対応付けを含む情報を外部に出力する出力部をさらに備える。
これにより、いずれの空気調和機がデマンド電力を押し上げているのか容易に把握でき、故障の対応やデマンド制御の設定ミスの早期発見等、迅速な対応ができる。
【００１０】
第５発明に係るデマンド制御装置は、第３発明のデマンド制御装置であって、受信部は、室外機の電力に関する情報と、室内機を識別する第２識別情報と、室内機に関する情報である室内機情報とを受信する。同デマンド制御装置ではまた、制御部は、室内機情報に基づき室内機それぞれの電力分担比率を演算し、電力分担比率によって電力に関する情報の合算値から室内機毎の按分電力値を演算する。同デマンド制御装置ではさらに、記憶部は、按分電力値と第２識別情報との対応付けを記憶する。
【００１１】
ここで、室内機情報とは、例えば、稼動状態、室内機の設定温度、吸込温度（室内機の空気吸込口に設けた温度センサー値）、サーモＯＮ／ＯＦＦ状態、その他運転状態を表す数値を示す。室内機情報に基づき室内機のそれぞれの電力分担比率を演算するとは、例えば、冷房運転の場合、設定温度よりも吸込温度の方が高くかつその差が大きい室内機については、電力分担比率を他の室内機よりも高いパーセントとし、稼働していない室内機の電力分担比率は０％とすること等を意味する。
これにより、室内機毎の電力デマンドを推定でき、その値（按分電力値）を記憶しておくことで、後の分析や予測のための情報として利用できる。
【００１２】
第６発明に係るデマンド制御装置は、第５発明のデマンド制御装置であって、按分電力値と第２識別情報との対応付けを含む情報を外部に出力する出力部を備える。
これにより、このデマンド制御装置の利用者又は管理者は室内機単位で電力デマンドを把握できる。その結果、いずれの室内機が高デマンド発生の要因となっているか等の詳細な分析が容易にでき、故障の対応や設定ミスの早期発見等、迅速な対処が可能となる。
【００１３】
第７発明に係るデマンド制御装置は、第１発明のデマンド制御装置であって、制御部は、合算値を予め設定された空気調和機のグループ毎に取得し、グループ毎に制御信号を生成する。同デマンド制御装置ではまた、送信部は、制御信号をグループ毎に送信する。
これにより、一定のグループ毎、例えば部署毎やテナント毎に電力デマンド値を把握することができ、それぞれが電力消費の目標値を定めて省エネ活動に取り組みたい場合等、利用者のニーズに柔軟に対応できる。なお、このグループ設定は、システム上の設定であるため、導入や設定変更が容易である。
【００１４】
第８発明に係るデマンド制御装置は、第３発明のデマンド制御装置であって、記憶部は、電力に関する情報を所定期間蓄積的に記憶する。さらに同デマンド制御装置では、制御部は、電流センサーに異常が検知された場合、蓄積された電力に関する情報より前記電流センサーに異常がある室外機の電力値を取得し、演算処理を行う。
これにより、電流センサーに異常が発生した場合であっても、蓄積された電力に関する情報を利用することで引き続き適切なデマンド制御を行うことができる。
【００１５】
第９発明に係るデマンド制御装置は、第８発明のデマンド制御装置であって、電力に関する情報は、圧力センサーのセンサー値に基づいて算出された電力値である。
ここで、圧力センサーのセンサー値とは、室外機の圧力センサー値であって、その圧力センサー値から算出した冷媒の蒸発温度と凝縮温度とから消費電力を求め、それを電力値とする。
これにより、電流センサー以外の手段をもって電力値や電流値を求めることが可能となり、特に電流センサーに異常が発生していた場合であっても、圧力センサー値に基づく蓄積された電力に関する情報を利用することで引き続き適切なデマンド制御を行うことができる。
【００１６】
第１０発明に係るデマンド制御システムは、第１発明のデマンド制御装置と複数の空気調和機とを備える。空気調和機は複数の室外機と複数の室内機とを有する。室外機は、デマンド制御装置より空調制御用信号線を介して制御信号を受信する。室内機は、各室外機により制御される。
これにより、空気調和機について上限電力デマンド内の最大能力での運転が可能となり、デマンド制御の下であっても一定の快適性および追従性を保証する空調制御を行うことが可能となる。
【００１７】
第１１発明に係るデマンド制御方法は、電流センサーを有する複数の空気調和機のデマンド制御を行うデマンド制御方法であって、受信ステップと、演算ステップと、制御ステップと、送信ステップとを備える。受信ステップは、空調制御用信号線を介して電力に関する情報を受信する。演算ステップは、電力に関する情報を合算して合算値を取得し、合算値に対応する電力デマンド値と予め設定された上限デマンド値とを比較演算する。制御ステップは、電力デマンド値が上限デマンド値を越えると判断する場合に空気調和機の運転能力を抑制する制御信号を生成する。送信ステップは、空調制御用信号線を介して制御信号を空気調和機に送信する。
これにより、空気調和機の電力に関する情報を収集・合算してから、空調の抑制制御の要否を判断できるため、空気調和機について上限電力デマンド内の最大能力での運転が可能となり、デマンド制御の下であっても一定の快適性および追従性を保証する空調制御を行うことが可能となる。
【００１８】
第１２発明に係るデマンド制御プログラムは、電流センサーを有する複数の空気調和機のデマンド制御を行うデマンド制御プログラムであって、第１ステップから第６ステップをコンピュータに実行させる。第１ステップでは、電流センサーにより取得された電流値又は電力値と、予めグループに分けられた空気調和機を識別するための識別情報と、を受信する。第２ステップでは、識別情報に対応するグループを特定する。第３ステップでは、グループ単位で電流値又は電力値を合算して合算値を演算する。第４ステップでは、合算値に対応する電力デマンド値と予め設定されたグループ毎の上限デマンド値とを比較演算する。第５ステップでは、第４ステップにおいて電力デマンド値が上限デマンド値を越えると判断されたグループに対し、空気調和機の運転能力を抑制する制御信号を生成する。第６ステップでは、制御信号をグループ毎に空気調和機に送信する。
【００１９】
ここで、電流センサーにより取得された電力値とは、電流値を定法に従って演算して得られた電力値等を意味する。
これにより、グループ毎に空気調和機の電力に関する情報を収集・合算してから、空調の抑制制御の要否を判断でき、利用者のニーズにあったデマンド制御を行うことができる。
【発明の効果】
【００２０】
第１発明に係るデマンド制御装置では、空気調和機の電力に関する情報を収集・合算してから、空調の抑制制御の要否を判断できるため、空気調和機について上限電力デマンド内の最大能力での運転が可能となり、デマンド制御の下であっても一定の快適性および追従性を保証する空調制御を行うことが可能となる。
第２発明に係るデマンド制御装置では、空気調和機の電力に関する情報を電流値または電力値とすることにより、より簡単に電力デマンド値を取得できる。
【００２１】
第３発明に係るデマンド制御装置では、室外機毎の電流値や電力値等の情報を保持することができ、予測的なデマンド制御も可能となる。すなわち、これらの情報の規則性からデマンド予測が可能となる。
第４発明に係るデマンド制御装置では、いずれの空気調和機がデマンド電力を押し上げているのか把握が容易になり、故障の対応やデマンド制御の設定ミスの早期発見等迅速な対応ができる。
【００２２】
第５発明に係るデマンド制御装置では、室内機毎の電力デマンドを推定でき、その値（按分電力値）を記憶しておくことで、後の分析や予測のための情報として利用できる。
第６発明に係るデマンド制御装置では、このデマンド制御装置の利用者又は管理者は室内機単位で電力デマンドを把握できる。その結果、いずれの室内機が高デマンド発生の要因となっているか等の詳細な分析が容易にでき、故障の対応や設定ミスの早期発見等迅速な対処が可能となる。
【００２３】
第７発明に係るデマンド制御装置では、一定のグループ毎、例えば部署毎やテナント毎に電力デマンド値を把握することができ、それぞれが電力消費の目標値を定めて省エネ活動に取り組みたい場合等、利用者のニーズに柔軟に対応できる。なお、このグループ設定は、システム上の設定であるため、導入や設定変更が容易である。
第８発明に係るデマンド制御装置では、電流センサーに異常が発生した場合であっても、蓄積された電力に関する情報を利用することで引き続き適切なデマンド制御を行うことができる。
【００２４】
第９発明に係るデマンド制御装置では、電流センサー以外の手段をもって電力値や電流値を求めることが可能となり、特に電流センサーに異常が発生した場合であっても、他の手段により蓄積された電力に関する情報を利用することで引き続き適切なデマンド制御を行うことができる。
第１０発明に係るデマンド制御システムでは、空気調和機について上限電力デマンド内の最大能力でのデマンド制御が可能となり、デマンド制御の下であっても一定の快適性および追従性を保証する空調制御を行うことが可能となる。
【００２５】
第１１発明に係るデマンド制御方法では、空気調和機の電力に関する情報を収集・合算してから、空調の抑制制御の要否を判断できるため、空気調和機について上限電力デマンド内の最大能力での運転が可能となり、デマンド制御の下であっても一定の快適性および追従性を保証する空調制御を行うことが可能となる。
第１２発明に係るデマンド制御プログラムでは、グループ毎に空気調和機の電力に関する情報を収集・合算してから、空調の抑制制御の要否を判断でき、利用者のニーズにあったデマンド制御を行うことができる。
【発明を実施するための最良の形態】
【００２６】
本発明の実施形態に係るデマンド制御システム１の全体的な構成図を、図１に示す。また、デマンド制御装置１０の構成を図２に概略的に示す。
＜デマンド制御システムの概略構成＞
図１に示すように、デマンド制御システム１は、主に、空調制御用信号線１９で結ばれたデマンド制御装置１０と複数の空気調和機２０，３０群とを備える。空気調和機２０，３０群は、複数の室外機２０群と各室外機２０と冷媒回路等により繋がる複数の室内機３０群とから構成される。空調制御用信号線１９は、デマンド制御装置１０から室外機２０群へ空調制御用の信号を送信するとともに、室外機２０群からデマンド制御装置１０へ電流値やその他空気調和機２０，３０群に関する情報（運転データ等）を送信する。デマンド制御装置１０は、受信した電流値に基づき、室外機２０に対する空調制御用の信号を生成して送信する。
【００２７】
なお、符号５０は電源を示す。電源５０は電力メータ４０を介してデマンド制御装置１０および室外機２０群は電力供給線により連絡している。
＜デマンド制御装置の概略構成＞
デマンド制御装置１０は、図２に示すように、制御部であるＣＰＵ１１と、受信部１２と、送信部１３と、表示部１４と、記憶部１５等とから構成されるコンピュータである。
【００２８】
ＣＰＵ１１はデマンド制御装置１０の制御部であり、ＲＯＭ等に格納された所定のプログラム（後述する）に従ってデマンド制御のための演算・制御処理を行う。受信部１２は、空調制御用信号線１９を介して室外機２０群より電流値等の情報を受信する。送信部１３は、ＣＰＵ１１で生成された制御信号を、空調制御用信号線１９を介して室外機２０に送信する。
【００２９】
記憶部１５は、ＲＡＭやＲＯＭ等の内部メモリとハードディスク等の外部メモリを含む。記憶部１５は、後述するように、各室外機２０の識別情報と電流値とを対応付けた情報を記憶する。記憶部１５はデマンド制御プログラム１６を格納する。デマンド制御プログラム１６は、後述するように、本実施形態のデマンド制御システム１によるデマンド制御の処理を実行するためのプログラムである。
表示部１４は、図示は省略するが、液晶ディスプレイ等の画面であり、情報の内容を利用者が認識しやすいように設けられている。例えば、各室外機２０の識別情報と電流値とを対応付けた情報等を表やグラフ等により表示する。
【００３０】
＜室外機および室内機の概略構成＞
各室外機２０は電流センサー２１を有する。電流センサー２１は一定の時間間隔で電流値を計測する。その電流値はデータとして空調制御用信号線１９を介してデマンド制御装置１０に送信される。
【００３１】
＜デマンド制御システムの処理動作＞
第１実施形態のデマンド制御システム１による処理の流れを図３のフローチャートに沿って説明する。
Ｓ１０１ステップにおいて、室外機２０の識別情報とその対応する電流値とを、空調制御用信号線１９を介して受信する。具体的には、受信部１２が、電流センサー２１により計測された電流値を室外機２０毎に受信する。
【００３２】
Ｓ１０２ステップにおいて、ＣＰＵ１１は、Ｓ１０１ステップにおいて受信した電流値を合算し、その合算した電流値を定法に従って電力値に演算し、これを電力デマンド値とする。
Ｓ１０３ステップにおいて、表示部１４は、各室外機２０の電流値や合算した電力デマンド等を表示する。なお、この表示は、常時なされるものでなく利用者や管理者の任意であってよい。
【００３３】
Ｓ１０４ステップにおいて、ＣＰＵ１１は、電力デマンド値が予め設定された上限デマンド値を超えるかどうかの判断処理を行う。超えると判断した場合はＳ１０５ステップに進み、超えないと判断した場合は処理を終了する。
Ｓ１０５ステップにおいて、Ｓ１０４ステップで電力デマンド値が上限デマンド値を超えていると判断した場合、ＣＰＵ１１は、室外機２０群の運転能力を抑制する制御信号を生成する。室外機２０群の運転能力を抑制は、例えば、室外機２０に設けられた圧縮機（図示省略）の運転周波数を抑制する（その上限周波数を、１００％、７０％、４０％、０％のいずれかにする等）、室内機３０の設定温度を緩和する、あるいは強制的にサーモＯＦＦ状態にする等の指令信号を生成する等により行われる。
Ｓ１０６ステップにおいて、送信部１３は、ＣＰＵ１１において生成した制御信号を、空調制御用信号線１９を介して室外機２０に送信する。
なお、電流値から電力値を求める定法の一つとして、次のような式がある。
電力値（Ｗ）＝√３×Ｖ×Ｉ×cosθ  （I＝電流値（線電流）、Ｖ＝線間電圧、
cosθ＝力率）
【００３４】
＜実施形態に係るデマンド制御システムの特徴＞
（１）
本実施形態に係るデマンド制御システム１では、空気調和機２０，３０群の電流値を収集・合算してから、空調の抑制制御の要否を判断できるため、空気調和機２０，３０群について上限電力デマンド内の最大能力での運転が可能となり、デマンド制御の下であっても一定の快適性および追従性を保証する空調制御を行うことが可能となる。
【００３５】
（２）
本実施形態に係るデマンド制御システム１では、デマンド制御装置１０の記憶部１５には、各室外機２０の識別情報と電流値とを対応付けた情報を記憶するため、室外機２０毎の電流値や電力値のデータを保持することができ、予測的なデマンド制御も可能となる。すなわち、これらのデータの規則性に沿ってデマンド予測が可能となる。
【００３６】
（３）
本実施形態に係るデマンド制御システム１では、デマンド制御装置１０の表示部１４により、各室外機２０の識別情報と電流値とを対応付けた情報を表示することができるため、利用者又は管理者はいずれの空気調和機がデマンド電力を押し上げているのか把握が容易になり、故障の対応やデマンド制御の設定ミスの早期発見等、迅速な対応ができる。
【００３７】
＜第１変形例＞
上記実施形態においては、すべての室外機２０群に対しデマンド制御を行っている。これに代えて、室外機２０群を所定数のグループに分け、グループ毎にデマンド制御を行ってもよい。
図４に示すように、デマンド制御システム１においては、室外機群２０が所定数（本実施形態においては三つ）のグループＧｒ１〜Ｇｒ３に予め分けられている。ここで、グループに分けるとは、グループ毎においてデマンド制御を行うよう、システム上グループに分けられていることを意味する。したがって、室外機グループＧｒ１が他の室外機グループＧｒ２，３と建物内等で物理的に分離しているとは限らない。
【００３８】
この場合、記憶部１５においては、各室外機２０の識別情報と電流値とを対応付ける情報の他に、各室外機２０の識別情報と室外機２０が属するグループの識別情報とを対応付ける情報をデータベース等により管理し記憶する。また表示部１４は、図５に示す表のように、データベースのビュー表示等により、各室外機２０の電流値や室外機２０のグループ毎の電力デマンド値等を表示する。
【００３９】
第１変形例による処理の流れを図６のフローチャートに沿って説明する。
Ｓ２０１ステップにおいて、室外機２０の識別情報とその対応する電流値とを、空調制御用信号線１９を介して受信する。具体的には、受信部１２が、電流センサー２１により計測した電流値を室外機毎に受信する。
Ｓ２０２ステップにおいて、識別情報に対応するグループ情報を取得する。具体的には、記憶部１５に予め記憶されたグループ情報と室外機２０の識別情報との対応付けから、グループを特定する。
【００４０】
Ｓ２０３ステップにおいて、ＣＰＵ１１は、Ｓ２０１ステップにおいて受信した電流値をグループ毎に合算し、その合算した電流値から定法に従って電力値を演算し、これをグループの電力デマンド値とする。
Ｓ２０４ステップにおいて、表示部１４は、各室外機の電流値や室外機のグループ毎の電力デマンド等を表示する（例えば、図５）。
【００４１】
Ｓ２０５ステップにおいて、ＣＰＵ１１は、グループ毎に、電力デマンド値が予め設定された上限デマンド値を超えているかどうかの判断処理を行う。超えているが場合はＳ２０６ステップに進み、超えていない場合は処理を終了する。
Ｓ２０６ステップにおいて、Ｓ２０５ステップで電力デマンド値が予め設定された上限デマンド値を超えていると判断されたグループについては、ＣＰＵ１１は、そのグループに属する室外機２０の運転能力を抑制する制御信号を生成する。
【００４２】
Ｓ２０７ステップにおいて、送信部１３は、生成した制御信号を、空調制御用信号線１９を介して室外機２０に送信する。
このシステムでは、共通のデマンド制御の範囲内（例えば同一建物内）であっても、例えば、部署毎やテナント毎にデマンド値を把握することができ、部署毎やテナント毎に電力消費の目標値を定めて省エネ活動に取り組みたい等のニーズに柔軟に対応できる。なおこれはシステム上のグループ設定であるため、導入および変更設計が容易である。
【００４３】
＜第２変形例＞
上記実施形態においては、電力センサー２１により計測された電流値を合算し、その合算値から電力デマンド値を演算し、上限デマンド値と比較演算していた。この電流値の合算値をさらに、室内機３０毎の電力分担比率によって按分し、室内機３０毎の電流値を推定することが可能である。この電力分担比率は、例えば、各室内機３０に関する情報（稼動状況（ＯＮやＯＦＦ）、室内機の設定温度、吸込温度、サーモＯＮ／ＯＦＦ状態等）に応じて算出される。例えば、冷房運転の場合、設定温度よりも吸込温度の方が高くかつその差が大きい室内機３０については、電力分担比率を他の室内機よりも高くし、稼働していない室内機の電力分担比率は０％に設定する。
【００４４】
この各室内機３０の電力分担比率により合算値を按分して、各室内機３０の推定電力値（按分電力値）を求める。この電力値は室内機３０の識別情報とともに表示部１４によって表示される。この表示方法は表であってもよいし、例えば図７に示すように室内のレイアウトに沿って各室内機３０の推定電力値を示すようにしてもよい。
このシステムでは、利用者又は管理者は室内機３０毎の電力値を把握することができるため、高デマンド発生の要因の分析が容易に行える。また、特定の室内機３０の推定電力値が異常な数値を示しているような場合、故障と判断してすぐに対処することが可能となる。
【００４５】
なお、この電力分担比率は予め算出されたものを記憶部１５より読み出すようにしてもよいし、あるいはその都度算出したものであってもよい。また、推定電力値は定期的に算出して記憶部１５等に一定期間蓄積しておき、デマンド予測に利用することも可能である。
また、室内機３０群を所定数のグループに分けて各グループの識別情報を設定し、そのグループ毎に推定電力値を合算することもできる。その場合、室内機グループ毎に電力デマンド値を表示等することができる。
【００４６】
＜その他変形例＞
（Ａ）
上記実施形態では、合算値は瞬時値としてその都度上限デマンド値を超えているかどうかの判断処理を行っている。これに代えて、例えば合算値を所定時間蓄積していき、その値を外挿補完することにより、デマンド時限内の積算値（デマンド電力に比例する）を予測し、この予測値を判断処理の対象とすることができる。
【００４７】
（Ｂ）
上記実施形態で求められた電流値または電力値は、予め記憶部１５に所定期間（例えば、一ヶ月分）蓄積的に記憶しておき、電力センサー２１が故障したときに代替値として使用してもよい。これにより、電力センサー２１により瞬時値の電流値がとれなくなっても、その代替値を使用することで、デマンド制御が行える。
【００４８】
（Ｃ）
各電力値は、電流センサー２１に計測された電流値に基づくものに限定されない。例えば、室外機２０の圧力センサー（図示は省略）の値と蒸発温度および凝縮温度とに次の関係が成り立つことが知られている（例えば、特許文献２）。
高圧圧力センサーのある検出値における冷媒の相当飽和温度＝冷媒の凝縮温度
低圧圧力センサーのある検出値における冷媒の相当飽和温度＝冷媒の蒸発温度
冷媒の凝縮温度をＴC、冷媒の蒸発温度をＴE、電動機の消費電力をＷiとすると、
Ｗi＝Ｒ（１）＋Ｒ（２）ＴC＋Ｒ（３）ＴE＋Ｒ（４）ＴC2＋Ｒ（５）ＴCＴE
＋Ｒ（６）ＴE2
Ｒ（ｉ），ｉ＝１〜６は係数とする。
の関係が成り立つ。このように、圧力センサー値を利用して、電力値に換算することも可能である。
【００４９】
また、この代替値の利用は、電力センサー２１が異常である室外機２０のみを対象とし、他の正常な電力センサー２１を有する室外機２０を対象としないように設定することも可能である。
なお、故障を検知する方法としては、表示された値の異常等により検知し得る。
（Ｄ）
上記実施形態においては、電力デマンド値が上限デマンド値を超えると判断された場合には、すべての室外機２０群に運転能力を抑制する制御信号を送信するとしているが、各室外機２０の識別情報と電流値とを対応付けた情報を利用して一部の室外機２０のみに制御信号を送信するとしてもよい。例えば、一定の電流値以上の室外機２０のみを対象とするよう処理することが可能である。また逆に、一部の室外機２０について、使用状況や環境を考慮してデマンド制御の対象から予め外す等の処理も可能である。
【００５０】
（Ｅ）
上記実施形態によるデマンド制御システム１は、デマンド制御装置１０を遠隔地に配し、インターネット等の公衆回線網を介して操作するものであってもよい。
（Ｆ）
上記実施形態および変形例においては、電力に関する情報（電流値等）と室外機２０の識別情報とを対応付けた情報、あるいは推定電力値（按分電力値）と室内機３０の識別情報とを対応付けた情報等を記憶することとしているが、これらのうち所定分のみ記憶するようにしてもよい。例えば、運転能力を抑制する制御指令を送信した場合、あるいは電流値等の合算値が最大になった場合等、特定の条件を満たしたときのみこれらの情報を記憶するようにしてもよい。これにより、メモリの容量を節約することができる。
【産業上の利用可能性】
【００５１】
本発明に係るデマンド制御システムは、空気調和機について上限電力デマンド内の最大能力での運転を行い、デマンド制御の下であっても一定の快適性および追従性を保証する空調制御を行うため効果的である。
【図面の簡単な説明】
【００５２】
【図１】本発明の実施形態に係るデマンド制御システムの全体構成図。
【図２】本発明の実施形態に係るデマンド制御装置の概略構成図。
【図３】本発明の実施形態に係るデマンド制御システムの処理の流れを示すフローチャート。
【図４】本発明の実施形態の第１変形例に係るデマンド制御システムの全体構成図。
【図５】同第１変形例によるデマンド制御装置の表示部による表示の一例を示す図。
【図６】同第１変形例によるデマンド制御システムの処理の流れを示すフローチャート。
【図７】本発明の実施形態の第２変形例により算出した各室内機の推定電力値の表示態様を示す図。
【符号の説明】
【００５３】
１          デマンド制御システム
１０        デマンド制御装置
１１        ＣＰＵ（制御部）
１２        受信部
１３        送信部
１４        表示部
１５        記憶部
１６      デマンド制御プログラム
１９        空調制御用信号線
２０        室外機（空気調和機）
２１        電流センサー
３０        室内機（空気調和機）
４０        電力メータ
５０        電源
【図１】
2007212038.tif 000003
【図２】
2007212038.tif 000004
【図３】
2007212038.tif 000005
【図４】
2007212038.tif 000006
【図５】
2007212038.tif 000007
【図６】
2007212038.tif 000008
【図７】
2007212038.tif 000009